(57)【要約】  本発明は、開口を閉じるためのシャッター装置に係わり、シャッター１が、開位置と閉位置の間で上下移動でき、開口のいずれかの側面上の固定支持体１２に取り付けられた案内路１０、１１に対して移動する、実質的に連続した可撓性のまたは関節結合された側縁部８、９を有し、シャッター１が開位置にある時、シャッター１の側縁部８、９間の間隔よりも広い通路を案内路１０、１１間に形成する手段が配設されている。
2005513308.tif 000002
【特許請求の範囲】
【請求項１】
開口を閉じるためのシャッター装置であり、
シャッター（１）が、開位置と閉位置の間で移動可能であり、
前記シャッター（１）が、開口の各側で固定支持体（１２）に配設された案内路（１０、１１）に関して走行する側縁部（８、９）を有する前記シャッター装置において、
前記シャッター（１）が開位置にある時に、前記シャッター（１）の下端部（１４）の下流で前記案内路（１０、１１）間の間隔が前記シャッター（１）の幅よりも大きく、また、前記シャッター（１）が閉位置に向かって動く時に、前記シャッター（１）の前記側縁部（８、９）が前記案内路（１０、１１）内を摺動するに伴なって、前記案内路（１０、１１）間の間隔が徐々に前記シャッター（１）の幅に適合されるように、弾性手段が配設されていることを特徴とするシャッター装置。
【請求項２】
前記シャッター（１）が開位置にある時に、前記シャッター（１）の前記下端部（１４）の下流で前記案内路（１０、１１）が前記支持体（１２）に対して接近位置（１６）にあり、
前記シャッター（１）が閉位置にある時に、前記案内路（１０、１１）が前記支持体（１２）に対して離隔した位置（１７）にあり、
また、前記シャッター（１）が前記接近位置に向かって移動中に、前記案内路（１０、１１）が前記離隔した位置（１７）に向かって徐々に動いてゆくように、前記支持体に弾性的に前記案内路（１０、１１）が取り付けられていることを特徴とする請求項１に記載されたシャッター装置。
【請求項３】
前記シャッター（１）が開位置にある時に、前記シャッター（１）の前記下端部（１４）に対する少なくとも上流部（１５）で、前記案内路（１０、１１）が可撓性であることを特徴とする請求項１または２に記載されたシャッター装置。
【請求項４】
前記案内路（１０、１１）が、前記固定支持体（１２）に対して可動に取り付けられていることを特徴とする請求項１から請求項３までのいずれか一項に記載されたシャッター装置。
【請求項５】
前記案内路（１０、１１）が、前記固定支持体（１２）に弾性的に取り付けられていることを特徴とする請求項１から請求項４までのいずれか一項に記載されたシャッター装置。
【請求項６】
前記案内路（１０、１１）が、前記固定支持体（１２）に対して関節結合されていることを特徴とする請求項１から請求項５までのいずれか一項に記載されたシャッター装置。
【請求項７】
前記案内路（１０、１１）が、前記支持体（１２）と前記案内路（１０、１１）の間に延在する少なくとも一つの腕部材（１３）を具備し、
この腕部材（１３）が、前記支持体（１２）に対して関節結合されていて折り曲げできるようになっていることを特徴とする請求項６に記載されたシャッター装置。
【請求項８】
前記案内路（１０、１１）が、前記支持体（１２）と前記案内路（１０、１１）の間で、前記通路の概ね全高に亘って延在する可撓性ストリップ（１３）を具備することを特徴とする請求項１から請求項７までのいずれか一項に記載されたシャッター装置。
【請求項９】
前記案内路（１０、１１）を折曲させるか、または、前記支持体（１２）に接近させ得るようにするために、前記支持体（１２）と前記案内路（１０、１１）の間に引張り部材が設けられていることを特徴とする請求項１から請求項８までのいずれか一項に記載されたシャッター装置。
【請求項１０】
前記シャッター（１）が、前記シャッター（１）の概ね全長に沿って連続的にまたは不連続に延びる、少なくとも一つの弾性材料製ストリップを含むことを特徴とする請求項１から請求項９までのいずれか一項に記載されたシャッター装置。
【請求項１１】
前記シャッター（１）が、前記シャッター（１）の少なくとも一方の前記側縁部（８、９）の近傍まで延在する概ね弾性の領域を含む連続したタール塗り防水シートから成ることを特徴とする請求項１から請求項１０までのいずれか一項に記載されたシャッター装置。
【請求項１２】
実質的に、前記シャッター（１）の全体が概ね弾性の材料で形成されていることを特徴とする請求項１から請求項１１までのいずれか一項に記載されたシャッター装置。
【請求項１３】
前記シャッター（１）が開位置にある時に、前記シャッター（１）の下端部よりも上流側にある、前記案内路（１０、１１）の両端部（１５）が、前記シャッター（１）の幅に概ね一致する固定間隔で配設されていることを特徴とする請求項１から請求項１２までのいずれか一項に記載されたシャッター装置。
【発明の詳細な説明】
【技術分野】
【０００１】
本発明は、間口または廊下等の開口を閉じるためのシャッター装置に係わり、このシャッターは、開位置と閉位置の間を下方および上方に動くことができ、また、概ね連続する可撓性側縁部を有し、その側縁部は、通路またはその他の開口の両側の固定支持体に取り付けられた概ね鉛直の案内路に沿って走行する。
【背景技術】
【０００２】
現在のところ、シャッター装置を、たとえば廊下に配設した時、その廊下の全幅を利用することができない。前記の種類の周知のシャッター装置では、シャッターは、たとえば、通路の上に設けたドラムの周囲に巻き取られる。ドラムを駆動可能にするために、ドラムは、中心軸を有し、これに直接駆動式にモータが取り付けられる。このモータは、ドラムの側部に横方向に配設される。つまり、ドラムは通路の全幅に亘って延在することができない。したがって、このような装置の案内路間で得られる通路は、常に、廊下の幅よりも、かなり狭くなる。
【０００３】
シャッター壁に設けた間口にシャッター装置を配設した時、案内路は、間口両側の壁に固定される。これには、たとえば車両などの障害物とシャッターが接触して、シャッターの側縁部が案内路から離脱した時、シャッターの側縁部が案内路近傍の壁に打ち当り、そのために破損するかもしれないという不都合がある。
【発明の開示】
【発明が解決しようとする課題】
【０００４】
本発明の重要な目的の一つは、シャッター装置を間口または廊下に取り付けた時、間口または廊下の実質的な全幅を通路として使用することを可能とするシャッター装置を提供することである。さらに、本発明のシャッター装置は、シャッターの側縁部が一旦案内路から離脱しても、これらの側縁部が破損される可能性をなくすものである。
【課題を解決するための手段】
【０００５】
この目的を達成するために、本発明によれば、シャッターが開位置にある時、シャッターの側縁部間の間隔よりも幅広の通路を案内路間に作ることを可能にする手段が提供される。
【０００６】
本発明の有利な形態によれば、シャッターが開位置にある時、概ね鉛直の案内路の少なくとも下側部分間の間隔はシャッターの幅よりも大きいが、シャッターが閉まった時、前記間隔とシャッター幅とを、前記手段が互いに適合させ、もって、前記間隔とシャッター幅とが概ね同等になり、幅の違いを多少とも縮めることができる。
【０００７】
本発明の有利な形態によれば、案内路は、少なくともその上部で可撓性である。
【０００８】
案内路は、好適には、固定支持体に対して可動に固定支持体に配設される。具体的に云うと、案内路が、前記固定支持体に弾性的に取り付けられる。
【０００９】
本発明装置の特別な形態によれば、支持体と案内路との間で、前記通路の概ね全高に亘って、弾性ストリップが延在する。
【００１０】
好適には、シャッターは、シャッターの長さ方向に沿って延在する概ね弾性の領域を含む連続するタール塗り防水シートから成る。
【００１１】
本発明のその他の詳細および細目は、本発明シャッター装置の幾つかの非限定的具体例に関する添付図を用いた以下の説明から明らかになるだろう。
【実施例】
【００１２】
各図中、同一符号は、同一または類似の部材を指す。
【００１３】
広い意味で云えば、本発明は、ドラム等の駆動手段と協働するシャッター装置に係わり、駆動手段のスピンドルが電気モータの軸に連結される。シャッターは、それぞれ閉位置と開位置の間を上下方向に動くことができ、壁の間口、または、その他の開口を閉じるためのものである。
【００１４】
用語「シャッター」は、本発明の文脈では、少なくとも部分的に柔軟で、可撓性があり、半剛性または剛性を有するとともに、一つまたは複数の補強材を具備する平坦な要素（例えば、タール塗り防水シート、合成樹脂の帯材、金網、格子、金属シートまたは金属シャッター等）を意味する。
【００１５】
しかしながら、たとえばタール塗り防水シートで形成された可撓性シャッターが特に好ましいことに留意すべきである。したがって、図示のシャッター１は、タール塗り防水シートから成り、その側縁部にバルジ形状（膨らんだ形状）が付与され、または、互いに関節結合された一連の小さな硬質ブロックが付与される。
【００１６】
図１〜図３は、廊下２において、２つの平行壁３、４間で天井５の下側に配設された本発明の第１例によるシャッター装置を示す。シャッター装置は、模式的に示すドラム６を有し、ドラム６には、シャッター１が巻き付けられ、また、ドラム６の一方の側に、ドラム６と協働する駆動手段が配設されている。これら駆動手段は、ドラム６を直接駆動する電気モータ７を含む。壁３、４の間隔は、モータ７およびドラム６を含む装置機構の幅よりも大きい。
【００１７】
シャッター１の側縁部８、９が、廊下２の対向壁３、４に取り付けた概ね鉛直の案内路１０、１１内を案内される。図６に模式的に示されるとおり、案内路１０、１１は支持体１２によって壁３または４に固定される。支持体１２は棒材で形成されており、この棒材が半円形の断面を有し、壁３または４に対して鉛直方向にドラム６の位置まで配設されている。支持体１２と案内路１０または１１との間に、案内路１０または１１の実質的に全長に亘って延在する、連続可撓性連結ストリップ１３が存在する。好適には、ストリップ１３は、たとえばゴムなどの弾性材料で製造される。シャッター１が、図１〜図３に示されている開位置にある時、ストリップ１３および案内路１０または１１は、シャッター１の下端部１４から或る距離の所から通路の底部までの間で、壁３または４に接近した位置に倒れた状態になる。したがって、案内路１０、１１の間に形成される通路の幅は、壁３、４の間隔に概ね一致する。図６で、案内路１０または１１の休止位置１６が、実線で示されている。この休止位置１６では、案内路１０、１１の間に形成された通路がシャッター１の側縁部８、９の間隔よりも広い。
【００１８】
シャッター１が開位置にある時、案内路１０、１１の、シャッター１の下端部１４よりも上流の部分１５で、特に案内路の上部で、案内路１０、１１の間隔は、シャッター１の側部端８、９の間隔に概略一致する。この上流部分１５位置で、案内路１０、１１は、シャッター１の側部端８、９を保持し、それ自体も壁３、４から離れた位置１７を占める。案内路１０または１１の、この離隔位置１７が、図６に破線で示されている。
【００１９】
図１、図２に示すように、シャッター１が開位置にある時には、ストリップ１３の弾性のために、ストリップ１３および案内路１０、１１の位置が、案内路１０、１１の、シャッター１の下端部１４に対して前記上流部分１５の離隔位置と下流部分の休止位置１６との間の、移行領域１８において、案内路１０、１１に沿って徐々に変化する。
【００２０】
このため、少なくとも、移行領域１８に位置する案内路１０、１１の部分は可撓性である。
【００２１】
図３、図６に、休止位置１６と離隔位置１７との間の、ストリップ１３および案内路１０、１１の中間位置を破線で示している。
【００２２】
シャッター１が、その閉位置に向かって動くと、案内路１０、１１、および、ストリップ１３が、図４、図５に示すように、事実上その全長に亘って離隔位置１７になるまで、移行位置１８もシャッター１の下端部１４と共に移動する。したがって、案内路１０、１１の下流部分間の間隔が、シャッター幅に適合する。
【００２３】
本発明によるシャッター装置の実施例において、案内路１０、１１は、ストリップ１３と一体に形成することが好ましい。
【００２４】
案内路１０、１１が可撓性であり、ストリップ１３が弾性であるため、支持体１２によってストリップ１３が取り付けられる壁３または４の非平坦性を吸収することができる。
【００２５】
このような支持体１２が必ずしも必要でないことは明らかである。ストリップ１３は、休止位置１６で簡単なねじを使用して直接、壁３または４に固定してもよく、そうするとシャッター１がその開位置にある時、少なくともストリップ１３の下側の部分は、その弾性のために常に壁３または４に向かって倒れた状態になる。
【００２６】
図７に示す、本発明による装置の他の実施例では、案内路１０または１１は、廊下の壁３または４に固定された支持体１２の真中から延びるストリップ１３を備える。シャッター１が開位置にある時、ストリップ１３は壁３または４に対して概ね横断方向に延び、もって、シャッターの端部が壁３または４に対して接近位置になる。案内路１０、１１の間隔はシャッター１の幅よりも大きいため、シャッター１が閉まる時の下降移動中、ストリップ１３は、その弾性ゆえに、案内路１０、１１の作用を受けて引き伸ばされる。したがって、シャッター１の側縁端８、９が案内路１０、１１内を滑動するにつれて、案内路１０、１１は、壁３、４から自動的に前記離隔位置に動く。
【００２７】
図８〜図１０に、本発明によるシャッター装置の非常に有利な実施例を示す。この実施例は、シャッター１が閉じた時の案内路１０、１１の位置が、シャッター１が開いた時の案内路１０、１１の位置に概ね一致する点で、前記実施例と異なる。案内路１０、１１と、そのストリップを壁３、４に固定する支持体１２との間に延在するストリップ１３は、壁３、４に対して概ね横断方向に指向するように取り付けられる。
【００２８】
ストリップ１３は、たとえばゴム等の弾性材料で作られるので、案内路１０、１１の間隔と、支持体１２、１２間の間隔との間で変化することができる幅を有する通路が形成される。特に、この通路を車両が通過する時に、車両が案内路１０または１１の一方を押しのけ、ストリップ１３折り曲げて通路を開くだろう。車両がこの通路を通過した後、ストリップ１３、および、案内路１０または１１は、ストリップ１３の弾性のために自動的に初期位置に戻る。好適には、案内路も弾性または可撓性の材料で作られる。
【００２９】
図９、図１０に、車両が通過する時のストリップ１３、および、案内路１０、１１の位置が模式的に破線で示されている。
【００３０】
ストリップ１３が折り曲げられて倒れた状態になされた後に、シャッター１の側縁部を案内路の上部に再導入するようなことを防ぐために、シャッター１の側縁部８、９を案内路１０、１１の少なくとも上部に保持せしめる手段が配設される。この手段は、たとえば、その相互間隔がシャッター１の側縁部８、９間の間隔に概ね等しい相互間隔位置に案内路１０、１１の上部を固定することを含む。
【００３１】
この実施例の利点は、車両の運転者が通路を通過しようとする時、案内路１０、１１の間に形成された部分を目指して運転することにより、固定案内路を備える周知のシャッター装置に比べて、車両が壁３または４の一方に衝突する確率がかなり減少することである。
【００３２】
図１１は、本発明による案内路１０または１１の第３の実施例を示す。この例では、案内路が、この案内路１０または１１と、支持体１２との間に延在する概ね剛体としての連続ストリップ１３によって壁３または４に固定された支持体１２に取り付けられる。このストリップ１３は、支持体１２に関節式に結合される。
【００３３】
案内路１０または１１が引張り部材（図１１に示されていない）と協働し、もって、シャッター１が開位置にある時に、案内路を休止位置１６に倒れた状態にするのが好ましく、この後、ストリップ１３は壁３または４と概ね平行に延在する。この引張り部材は、たとえば案内路１０または１１と支持体１２の間、または、案内路１０または１１と、壁３または４との間に設けたばねまたは弾性部材を含む。
【００３４】
図１２は、案内路１０または１１の第４実施例の模式図である。案内路１０または１１は、支持体１２に対して離隔した位置１７（破線で示す）と、支持体１２に対して接近した位置１６（実線で示す）との間で動くことができ、支持体１２は、或る間隔だけ離して壁３または４の上に取り付けた２つの平行な部材１２’と１２”を含む。案内路１０または１１と、各部材１２’、１２”との間に弾性部材１３’、１３”が存在し、もって、シャッター装置が開位置にある時に、弾性部材１３’、１３”の作用によって壁３または４に案内路が近づく。シャッター１（その幅は、休止位置にある案内路１０、１１の間隔よりも小さい）が閉じた時には、案内路１０または１１が壁３または４から離隔する。
【００３５】
図１３、図１４は本発明による案内路の第５および第６実施例を示す。この例では、シャッター装置１が、それぞれ、間口１９に寄りかかった状態で配設されるか、または、間口１９内に配設される。案内路１０、１１は、前記案内路の場合と同様に、間口１９位置で壁に取り付けられた支持体１２にストリップ１３によって固定される。ストリップ１３は、可撓性弾性材料で作られており、シャッターが開位置にある時、間口１９が形成されている壁に対して概ね横断方向に延在し、もって、案内路１０、１１の間の通路の幅が間口１９の幅と概ね一致する。
【００３６】
シャッターが閉位置にある時、図１３、図１４に破線で示すように、案内路は離隔位置にあって間口１９の輪郭線から離れる。
【００３７】
図１５は、図８、図９の案内路１０または１１のうちの１つを拡大して示す。案内路は、壁３または４から離隔した位置１７で、壁３または４に対して横断方向に指向している。案内路１０、１１と、壁３または４に固定された支持体１２との間に設けた弾性ストリップ１３を折り曲げながら、案内路１０、１１の間に形成された通路を車両が通過する時、案内路１０、１１は、休止位置１６に動かされて、案内路１０、１１の間の通路が広がる。
【００３８】
図１６〜図１８は、間口１９位置に配設されたシャッター装置の第８実施例の一方側を示す。この実施例では、支持体１２が、間口の両側に沿う壁２０にボルト２１で固定されている。支持体１２と概ね平行に延在する案内路１０または１１が、弾性ストリップ１３によって支持体１２に取り付けられている。
【００３９】
図１６に示すように、シャッター１が開位置にある時、案内路１０または１１は、壁２０に接近した位置で、間口１９の横側に沿って延在する。
【００４０】
シャッター１がその閉成方向へ向かって下方へ動く間、案内路１０、１１は、徐々に壁２０から離れた位置へ動き、ストリップ１３を拡張する。図１７に示す離隔位置では、案内路１０、１１が、間口１９の前面にある。
【００４１】
シャッター１の面に例えば風などによる押圧力が加わった時には、シャッター１が案内路１１または１２から離脱しないように、図１８に示すように、ストリップ１３がさらに引き伸ばされる。
【００４２】
案内路１０または１１と、対応する案内路１２との間に何本かのコード２２を設けており、ストリップ１３が或る限度を超えて引き伸ばされることがないようになっている。これらコード２２の長さは、ストリップ１３を破損せずに引き伸ばすことのできる最大間隔と一致する。
【００４３】
この実施例が非常に有利である理由は、シャッター１が上または下方向に移動中、案内路１０または１１は間口１９の開口に面しており、つまり、車両がシャッター１に接触し、その側縁部８、９が案内路１０または１１から離脱した時、側縁部８、９が壁２０にぶつかる可能性はなく、したがって壁２０と激しくぶつかって破損するようなことがないからである。
【００４４】
一方において、シャッター１がその開位置にある時にシャッター１の下端部１４よりも下流側にある案内路の部分間の間隔を、シャッターの幅と一致させて、前記間隔と前記幅が概ね同じになるようにするために、案内路１０、１１を、間口位置で、または、廊下内で壁に概ね固定するように配設できることは明らかである。このような場合、シャッター１が開位置にある時のシャッター１の側縁部８、９の間隔は、シャッター１が閉位置にある時のシャッター１の側縁部８、９の間隔よりも小さい。
【００４５】
そのために、シャッター１は、シャッター１の全長に亘って連続的にまたは不連続に延びる弾性材料で形成された少なくとも１つのストリップを含む。シャッター１が閉じる際、このストリップは、シャッター１の下降動作中徐々に引き伸ばされる。
【００４６】
シャッター１全体が、少なくともシャッター１の側縁部８または９の一方まで延びるほぼ弾性の領域を含む連続したタール塗り防水シートからなっていると有利である。
【００４７】
他の実施例によれば、シャッター１は、概ね弾性の材料で形成される。
【００４８】
図１９、図２０に、シャッター１の側縁部８、９の間隔を一致させることのできる複数の弾性部材２３を有するシャッター１を示す。具体的には、シャッター１が閉位置にあり、側縁部８、９が固定案内路１０、１１に保持されているシャッターを図１９に示す。この閉位置において、シャッター１は、弾性部材２３の連続で案内路１０、１１の間で引き伸ばされる。
【００４９】
シャッター１が開きつつある間、側縁部８、９は、その上部を超えた部分ではもはや案内路１０、１１中に保持されない。シャッター１のこの部分の側縁部は、案内路を超えた部分で、図２０に模式的に示されるように、互いに接近し、それによってシャッター１の側縁部８、９の間隔が案内路１０、１１の間隔よりも小さくなる。シャッター１は、その後、たとえばドラムの周囲に巻き取られるが、そのドラムの幅は、案内路１０、１１の間に形成された通路の幅よりも小さい。
【００５０】
本発明によるシャッター装置の非常に有利な一実施例では、案内路１０、１１が、壁３、４に形成された溝穴に配設され、もって、シャッター１が開いた時に、案内路が、前記休止位置にあって完全に溝穴に入り込む。これとは対照的に、閉じた位置では、案内路は、前記離隔位置にある時、溝穴から出て延びる。したがって、壁３、４間の実質的に全ての空間を通路として利用できる。
【００５１】
勿論、本発明は、以上説明した各種実施例に限定されず、特に案内路の取り付けに関しては、本発明の範囲を逸脱することなく、さらに別の代替例を想定することもできる。
【００５２】
したがって、シャッターが閉じていて案内路が離隔位置にある時、実質的に引き伸ばされる可撓性のタール塗り防水シートによって案内路を支持体に連結してもよい。シャッターが開いている時、案内路を自動的に休止位置に戻すために、案内路と対応する支持体との間に弾性部材を設けてもよい。
【００５３】
前記説明では、シャッターの側縁部は膨らみ部分を有していたが、シャッターの側縁部に案内路中を案内するためのその他の手段が存在してもよい。シャッターの側縁部は、たとえば、互いに関節結合された一連の小さな剛体ブロックを有していてもよい。
【００５４】
さらに、場合によっては、案内路をシャッターの側縁部に設け、案内路中を滑動することのできる膨らみ部分またはその他の何らかの要素を前記壁に固定された支持体に取り付けることもできる。
【００５５】
最後に、案内路は、その全体にわたって可撓性であってもよく、その上部分のみが可撓性であってもよい。その長手方向に弾性領域を有するシャッターを使用する時には、案内路は剛体でもよい。
【００５６】
明らかに、シャッター装置の用途は、垂直ドアに限定されず、たとえば、水泳プールの覆い、天幕、雨または日差しからの避難用、天蓋などその他多くの用途も可能である。したがって、案内路は、垂直面内で他のものに重なって延在し、水平面内で他のものに並んで延在することもできる。
【図面の簡単な説明】
【００５７】
【図１】廊下に配設され、開位置にある本発明による、シャッター装置の第１実施例の模式的正面図。
【図２】図１におけるＩＩ−ＩＩ線断面図。
【図３】図１におけるＩＩＩ−ＩＩＩ線断面図。
【図４】図１のシャッター装置の閉位置における模式的正面図。
【図５】図４におけるＶ−Ｖ線断面図。
【図６】図１〜図５に示すシャッター装置の案内路の模式的上面図。
【図７】案内路の一代替例の模式的上面図。
【図８】開位置にある本発明シャッター装置の第２実施例の模式的正面図。
【図９】開位置にある図８のシャッター装置の模式的正面図。
【図１０】図９のＸ−Ｘ線断面の模式的略図である。
【図１１】廊下内に配設された案内路の第３実施例の模式的上面図。
【図１２】廊下内に配設された案内路の第４実施例の模式的上面図。
【図１３】間口に接して配設された案内路の第５実施例の模式的上面図。
【図１４】間口内に配設された案内路の第６実施例の模式的上面図。
【図１５】間口内に配設された案内路の第７実施例の模式的上面図。
【図１６】間口に対して配設された案内路の第８実施例としての、シャッターが開位置にある時の実施例の模式図。
【図１７】シャッターが閉位置にある時の図６に示す案内路の図。
【図１８】シャッターが閉位置にあり、シャッターの表面に押圧力が働いた時の図１６、図１７に示す案内路の図。
【図１９】シャッターが閉位置にある時の特殊な例に係わるシャッターの模式的断面図。
【図２０】シャッターが開位置にある時の図１９に示すシャッターの模式的断面図。
【図１】
2005513308.tif 000003
【図２】
2005513308.tif 000004
【図３】
2005513308.tif 000005
【図４】
2005513308.tif 000006
【図５】
2005513308.tif 000007
【図６】
2005513308.tif 000008
【図７】
2005513308.tif 000009
【図８】
2005513308.tif 000010
【図９】
2005513308.tif 000011
【図１０】
2005513308.tif 000012
【図１１】
2005513308.tif 000013
【図１２】
2005513308.tif 000014
【図１３】
2005513308.tif 000015
【図１４】
2005513308.tif 000016
【図１５】
2005513308.tif 000017
【図１６】
2005513308.tif 000018
【図１７】
2005513308.tif 000019
【図１８】
2005513308.tif 000020
【図１９】
2005513308.tif 000021
【図２０】
2005513308.tif 000022
【国際調査報告】
2005513308.tif 000023
2005513308.tif 000024
2005513308.tif 000025
2005513308.tif 000026